(57)【要約】      （修正有）【課題】担持する被搬送物の大きさ、重量等に応じて最も安定した担持が出来る位置で被搬送物を支えることが出来るように、枠体も支える位置を変更することが出来るようにした手持ち兼用台車を提供する。【解決手段】キャスター１０を有する物品載置用基板（床板２）の周縁に柱状体３を起立すると共に、隣接する柱状体３間に梁４を架け渡すことにより柵５を構成し、柵５を構成する柱状体３には、掌で握ることの出来る太さの棒状のグリップを柵外方向に向け取り外し自在に突出固定してなるものであるため、搬送物の大きな或は重心位置を勘案してグリップの位置を最も持ち易い場所に止め代えることが可能であり、柱状体３の上部部分は、柱状体３の下部部分に対し上下に摺動自在に嵌合し、その長さを調節可能としたために、柱状体３の長さを搬送物の大きさに一致させて変化させ、搬送途次にあっても操作は極めて容易である。【選択図】図１
0003201977.tif 000002
【実用新案登録請求の範囲】
【請求項１】
キャスターを有する物品載置用基板の周縁に柱状体を起立すると共に、前記隣接する柱状体間に梁を架け渡すことにより柵を構成し、柵を構成する前記柱には、掌で握ることの出来る太さの棒状のグリップを柵外方向に向け取り外し自在に突出固定してなる手持ち兼用台車。
【請求項２】
柱状体の上部部分は、柱状体の下部部分に対し上下に摺動自在に嵌合し、その長さを調節可能としたことを特徴とする請求項１記載の手持ち兼用台車。 
【考案の詳細な説明】
【技術分野】
【０００１】
本考案は、平坦な面では荷を積載している荷台を人力で押し、荷台に設けられたキャスターを回転することにより台車を移動しているが、、階段などの段差のある場所でも、人力により荷を持ち上げることで搬送を容易に行えることを可能とした、荷物等の搬送用具に関する。
【背景技術】
【０００２】
近時、量販店への商品の搬入を行うため、或は、量販店での金融手続の取扱いの開始等によって、それらの手続を行う為の端末装置等の物品の、量販店への搬入が多くなった。然し、これらの搬入先はしばしば高所階に位置することが多く、その搬入は平面階であれば被搬送物を台車に載せ、台車のキャスターを転動させつつ台車を押して移動すれば良いが、段差部分が階段状になっている場合、キャスター付台車は使用出来ない。
【０００３】
そこで、キャスターの代わりに使用できる移送体として搬送部材の接地面に枠体を配置し、該枠体上に搬送物を載せ枠体に手掛或はひも等を設けて枠体の進行方向を操作しつつ、傾斜面を滑り下ろすために、枠体下面にスキー板状の板を台車に配したものが考えられたが（特許文献１参照）、階段等で搬送物を引き上げ、引き下ろす際には各階段の凸部と滑動部材とが当接し、構造物を傷めることにもなり兼ねない。また、載置体に担ぎ用部材を設けても、その位置は固定されてしまい、被搬送物の重心の位置等に応じて持ち方を変更すると云うような持ち方は出来ない。
【先行技術文献】
【特許文献】
【０００４】
【特許文献１】特許第４２９９０４４号公報
【考案の概要】
【考案が解決しようとする課題】
【０００５】
本考案は上記の点に鑑みて、担持する被搬送物の大きさ、重量等に応じて最も安定した担持が出来る位置で被搬送物を支えることが出来るように、枠体を支える位置を変更することが出来るようにしたことを特徴とする。
【課題を解決するための手段】
【０００６】
請求項１記載の考案は、キャスターを有する物品載置用基板の周縁に柱状体を起立すると共に、前記隣接する柱状体間に梁を架け渡すことにより柵を構成し、柵を構成する前記柱には、掌で握ることの出来る太さの棒状のグリップを柵外方向に向け取り外し自在に突出固定してなるものであるため、搬送物の大きな或は重心位置を勘案してグリップの位置を最も持ち易い場所に止め代えることが可能である。
請求項２記載の考案は、柱状体の上部部分は、柱状体の下部部分に対し上下に摺動自在に嵌合し、その長さを調節可能としたために、柱状体の長さを搬送物の大きさに一致させて変化させ、搬送途次にあっても操作は極めて容易である。
【考案の効果】
【０００７】
本考案、台車にあっては、台車の基板周縁に柵を構成し、該柵を構成する柱に複数の棒状のグリップを柵外部に向け、取り外し自在に突出固定してなるため、棒状クリップを前記柱に固定する部位を変更することにより柵内の台車基板に載置した被搬送物の最も安定した荷重重心のもとで、グリップを把持することによって人力で物品を支持し移動することが可能となる。
【図面の簡単な説明】
【０００８】
【図１】本考案、手持ち兼用台車の正面図。
【図２】同、側面図。
【図３】ハンドグリップの側面図。
【考案を実施するための形態】
【０００９】
本考案、手持ち兼用台車１の実施の一例を図面と共に次に説明する。
手持ち兼用台車１は平坦地にあっては、主として手動により台車を押し引きして移動し、階段等の段差のある場所では台車１を持ち上げることによって移動を容易に行うことを可能にするものとし、方形或は矩形の床板２をベースとし、床板２の外縁に柱状体３を起立させ、隣接する柱状体３，３間には梁４を架け渡し柱状体３と梁４とからなる柵５を配している。梁４の、搬送物と接する恐れのある面には図１に示す如く、緩衝パット１１が取り付けられている。また、台車１の後部位置にはストッパー１２が設けられ傾斜地等で荷が動いたとき荷の後退を阻止することが出来るようにしている。柵５を構成する柱状体３には台車１を牽引する為のロープを掛け、或は作業員が身体に掛けた担ぎ帯の端部を搬送物品に固定するアイボルト６が、また、床板２には台車１を引き出すとき、或は台車１の後退を阻止するとき、ロープを掛けるアイボルト７が設けてある。
【００１０】
上記手持ち兼用台車１の柵５の柱状体３には、取り外し自在にハンドグリップ８が螺合されている。ハンドグリップ８の柱状体３への取り付けは、図示の例では柱状体３の両側面と正背面との４面に等しい高さ位置に揃えて螺子孔９が設けられ、荷物の条件によって最も持ち良いグリップ高となる場所を選んで螺子孔９にハンドグリップ８を固定する。
ハンドグリップ８は、図３に示す如く棒状の握り部８ａの中心部から棒軸方向に突出している螺軸８ｂを柱状体３の螺子孔９に螺合することによりハンドグリップ８が柱状体３から突出した状態とする。
【００１１】
本考案の手持ち兼用台車１による階段等の傾斜した環境での搬送では、常に搬送物は垂直方向に立つように、進行方向の前後の柱３に取り付けるハンドグリップ８の位置に注意しなければならない。例えば、水平地から上りの階段を通り過ぎ水平地まで搬送物を運んだとしたとき、傾斜地では柱状体３が後方に倒れず、傾斜面を移動するときは登り斜面でも搬送物が垂直な姿勢を保つようにハンドグリップ８を持ち替え、搬送物が後方に倒れるのを防止し、台車１を押しキャスター１０を転動し、水平個所を移動する。
【００１２】
以上の如く、本考案手持ち兼用台車１にあっては、水平面から傾斜面を経て水平面に移動する際に、水平面と傾斜面との境界部位において、単に台車の柱状体に設けられたハンドグリップを握る位置を変更するだけで、台車の荷物の姿勢を、垂直の姿勢を変えずにハンドグリップを持ち替えるだけで安定した搬送ができるので、荷物への搬送途中での損傷等の事故を防止することができる。
【符号の説明】
【００１３】
１    手持ち兼用台車
２    床板
３    柱状体
４    梁
５    柵
６，７  アイボルト
８    ハンドクリップ
９    螺子孔
１０  キャスター
１１  緩衝パット
１２  ストッパー 
【図１】
0003201977.tif 000003
【図２】
0003201977.tif 000004
【図３】
0003201977.tif 000005